(57)【要約】【課題】本発明は、ノズルの孔径加工及び孔径調整が容易で、ドレン内の錆や塵等よるノズル目詰まりを自動的に除去することが可能なノズルを有する上、蒸気漏洩防止機能を備えた、安価で小型のノズル式スチームトラップを提供することを目的としている。【解決手段】本発明は、ノズルの孔に挿通する線状構造体である孔径調整機構を備えたことを特徴とするノズル式スチームトラップを提供するものである。【選択図】図５
2018080731.tif 000002
【特許請求の範囲】
【請求項１】
ノズルを備えたスチームトラップにおいて、前記ノズルの孔に挿通されるノズル孔径調整機構を備えていることを特徴とするノズル式スチームトラップ。
【請求項２】
前記ノズル孔径調整機構が、線状構造体であることを特徴とする請求項１に記載のノズル式スチームトラップ。
【請求項３】
前記線状構造体の少なくとも一端に、前記ノズルの孔を前記線状構造体が通過不能である形態の係止構造体を添設していることを特徴とする請求項２に記載のノズル式スチームトラップ。
【発明の詳細な説明】
【技術分野】
【０００１】
本発明は、熱交換器を介して蒸気を加熱源として用いる様々な工場や施設等において、蒸気使用設備やこれらの設備間の蒸気輸送配管系に発生するドレン（蒸気が凝縮した復水）を自動的かつ連続的に系外へ排出することができるノズル式スチームトラップにおいて、ノズルの孔径調整機能と清掃機能を兼ね備えた孔径調整機構及び／又は流体漏洩防止機構を備えたノズル式スチームトラップに関する。
【背景技術】
【０００２】
熱交換器を介して蒸気を加熱源として用いる様々な工場や施設等においては、蒸気使用設備やこれら設備間の蒸気輸送配管系で発生するドレンを自動的に系外へ排出する必要がある。
【０００３】
これは、乾燥機の熱交換器部や加熱窯等の蒸気使用設備をはじめとして、これらを接続する蒸気輸送配管で適当な温度条件を確保し、工場の安定かつ安全な操業を確保するためである。例えば、蒸気使用設備内や蒸気輸送配管系内にドレンが滞留すると、加熱効率が低下し、設備の生産性を著しく低下させると共に，ドレン滴による加熱ムラが生産物の品質不良を引き起こす原因となり、工場の安定操業に支障を来す。また、蒸気配管系内に滞留しているドレンが、蒸気で押し流されながら大きな塊を作って配管の屈曲部やバルブに衝突したり、蒸気と接触すると一気に凝縮して蒸気体積がゼロとなって局部的に真空状態が作られたところにドレンが押し寄せて衝突したりするという、スチームハンマーの発生原因になる。このスチームハンマーが発生すると、配管内の急激な圧力変化によって、接続部のガスケットやフランジ、更には、バルブ自体の破損にも至り、大量の蒸気や高温のドレンが噴出し、大事故になる危険性がある。
【０００４】
そのため、上記工場や施設等において、大量のスチームストラップが設置されており、従来は、機械工学的なメカニカルスチームトラップ（バケット式・フロート式）、サーモスタティックスチームトラップ（バイメタル式・ベローズ式）、及び、サーモダイナミックスチームトラップ（ディスク式）が用いられてきた。
【０００５】
しかし、これらメカニカルスチームトラップには、次のような課題がある。メカニカルスチームトラップは、可動部を有する排水弁機構であり、一定量のドレンが貯水されると排水弁の開放によって排水され、その後直ちに排水弁が閉鎖される動作の繰り返しである。従って、この機構に起因して、動作遅れや繰返し動作による多量の蒸気漏れを避けることはできない上、メカニカルスチームトラップの間歇的な排水は、可動部の損傷が生じ易く、蒸気使用設備の安定操業を保障するものではない。それにもかかわらず、従来、メカニカルスチームトラップの多量の蒸気漏れによるエネルギーロスという問題は、ドレン排水の必要性だけに対する意識が強いため、見落とされる傾向にあったが、近年、工場の高効率化・省エネルギー化・ＣＯ２削減等の地球環境保全という観点から見直されるようになった。
【０００６】
このような状況において、オリフィスノズル式、ベンチュリーノズル式、及び、トンネル構造抵抗管式スチームトラップのような各種ノズル式スチームトラップに対する関心が高まっている。これらは、流体工学的スチームトラップと呼ばれ、蒸気よりも水の方が微細な通路を通過するときの動粘度が低く、水が蒸気の約３０倍も流れるという排水機構を利用したものであり、可動部がない構造をしている。従って、上記従来の可動部を有するスチームトラップとは異なり、蒸気漏れが少ない連続的ドレン排水が実現され、ボイラーの燃料使用量が大幅に削減される。また、可動部のない構造は、耐久性に優れ、保守・点検が簡単に行える特徴がある。更に、スチームハンマーや凍結にも強く、安定性・安全性にも優れている。
【０００７】
このような具体例としては、例えば、特許文献１にはオリフィスノズル式スチームトラップが、特許文献２には、ベンチュリーノズル式スチームトラップが開示されている。このようなノズル式スチームトラップは、上述した利点があるものの、次のような課題を有している。図１に示すベンチュリーノズル式スチームトラップで説明すると、ドレン排水量がノズル３の孔径に依存するので、入口と出口の作動圧力差の変動等に伴うドレン排水量の調整、及び、季節による外的要因及び蒸気使用設備の運転状況等による蒸気使用量の変動等に応じたノズル３の交換が必要であるという問題がある。また、ノズル３をドレンが通過する前に、ドレン中の錆や塵等を捕捉するスクリーン６がストレーナー５中に備えられているが、ノズル３の孔径が小さいため、スクリーン６で錆や塵等を捕捉するには限界があり、ノズル３の目詰まりが発生しやすいという問題もある。更に、流体工学的スチームトラップの水が蒸気の約３０倍も流れるという排水機構だけでは、蒸気漏洩を十分防止することができないという課題もある。
【０００８】
特許文献１は、これらの問題に対し、オリフィスノズルのドレン排水量の調節と、ドレン中の錆や塵等によるオリフィスノズルの目詰まりを防止するため、オリフィスノズルの孔に設けた軸方向に進退可能な部材によって、オリフィスノズルの孔径を調整すると共に、目詰まりした錆や塵等を除去するものである。しかし、この解決手段では、ドレン排水量の調節にも限界があり、人手を要するという問題がある。また、蒸気漏洩量の低減という課題が認識されていない。
【０００９】
特許文献２は、図１に示す代表的なベンチュリーノズル式スチームトラップに関するもので、ベンチュリーノズル３が本質的に有する、ドレン排水量の調節の問題、錆や塵等の目詰まりの問題、及び、蒸気漏洩の問題も認識されていない。
【００１０】
これらのノズル式スチームトラップの課題に対する解決手段が、特許文献３及び４に開示されている。
【００１１】
特許文献３は、図２に示すように、スチームトラップに設けられているドレン貯水部９にドレンが排出されるドレン排出口３−２と、ドレン貯水部９からスチームトラップ系外にドレンを排出するドレン系外排出口１１との高低差を、回転することによりドレン排水量を調整することができるものである。機構が単純で、スチームトラップを小型化できる上、流体工学的スチームトラップの水が蒸気の約３０倍も流れるという排水機構に加えて、ドレンによるノズル３の封鎖によって蒸気漏洩を防止することができるという特徴がある。しかし、ノズル３がドレンによって封鎖されているとはいえ、ドレンの貯水量が少なく、蒸気の漏洩防止機能が不足する場合がある。また、入口と出口の作動圧力差の変動等に伴うある程度のドレン排水量の調整は、スチームトラップのボディ１の回転によって対処できるという大きな利点があるが、季節による外的要因及び蒸気使用設備の運転状況等に伴う蒸気使用量の変動等による大きなドレン排水量の変化に対応するためには、ノズル３に穿設される孔の径が異なるノズル３の交換が必要である。また、このようなノズルの孔径は小さいため、ドリル加工では対応できず、放電加工が必要な場合もあり、労力を必要として高価となる上、孔内の形状の平坦性が悪くなる。そして、このノズル式スチームトラップでは、ストレーナー５の中に備えられているスクリーン６の目を微細化していることを特徴としているが、ノズル３の孔径が小さいため、スクリーン６で錆や塵等を捕捉するには限界があり、ノズルの目詰まりを完全に防止することは困難である。
【００１２】
そこで、特許文献４には、上述したノズルの目詰まりの問題を解決するため、最先端が砲弾状に加工されたノズル及びノズルの孔からノズルの外周方向に向かって溝が形成されているノズル等が提案されているが、加工が困難で生産性の問題がある。また、従来のノズル同様、大きなドレン排水量の変化に対応するためには、ノズルに穿設される孔の径が異なるノズルの交換が必要であり、蒸気の漏洩防止機能が不足する場合がある。
【００１３】
一方、特許文献５及び６は、ドレンを蒸気に変換して排出するスチームトラップであって、微細な通路を通過する蒸気と水の流量の差を利用した上記流体工学的ノズル式スチームトラップとは根本的に異なる方式であるが、ノズルを用いたスチームトラップを改良しようとするものである。なお、本明細書においては、このようなスチームトラップも含め、ノズルを用いるスチームトラップを全てノズル式スチームトラップという。
【００１４】
特許文献５は、流体工学的ノズル式スチームトラップのノズルの流体排出口が小さくて短いことに起因する問題を解決しようとするものである。すなわち、大きなドレン蓄積管にドレンを貯め、そのドレン蓄積管に、ドレンを蒸気に変換する長孔が穿設された蒸気発生ノズルが設けられ、その出口側に複数の蒸気吐出孔と長孔の出口を塞ぐ栓を備えた蒸気吐出量調節キャップが螺着され、蒸気吐出量調節キャップを回動することにより、蒸気吐出量を制御するものである。蒸気漏洩がドレンで防止されているが、従来のメカニカルスチームストラップ同様、ドレン蓄積管という大きな容器を設けるスペースが必要である上、ドレン排水量の変化に対応しなければならず、人手を有する蒸気吐出量調節キャップの回動を頻繁に行わなければならいという問題がある。また、蒸気発生ノズルの孔径は大きいが長く、錆や塵等による目詰まりの問題は、従来のストレーナーの中のスクリーンに依存したままである。更に、大きなドレン排出量の変化に対応するノズル孔径の調整は、長孔を穿設するノズルを交換しなければならない。
【００１５】
特許文献６は、特許文献５のドレン蓄積管に、ドレンを蒸気に変換して排出するスチームトラップを連結し、更に、そのスチームトラップのドレン抜き取り口に塵等を分離できるサイクロンを連結すると共に、ドレン蓄積管にドレンの増減に応じてサイクロンの排出弁を開閉するセンサを設けることによって、ドレン排出能力を制御するものである。この場合も、蒸気漏洩はドレンで防止されているが、特許文献５以上に大きなスペースが必要である上、機構が複雑で、数多く必要とされるスチームトラップには経済性の問題もある。また、ノズルの孔径の調整及びノズルの目詰まりも、特許文献５と同様の問題がある。
【００１６】
以上、ノズルを用いたスチームトラップは、流体工学的ノズル式スチームトラップであるか否かにかかわらず、ノズルの孔径加工及びその調整が容易な上、ノズルの目詰まり及び蒸気漏洩の防止が可能で、安価で小型のノズル式スチームトラップは未だ見出されていない。
【先行技術文献】
【特許文献】
【００１７】
【特許文献１】特開２００８−３０９２９０号公報
【特許文献２】米国特許５４２９１５０号公報
【特許文献３】特許第５６９４６１９号公報
【特許文献４】特許第５８３３２６６号公報
【特許文献５】特許第５５６１６３２号公報
【特許文献６】特許第５７４５１４９号公報
【発明の概要】
【発明が解決しようとする課題】
【００１８】
上述したように、従来の各種ノズル式スチームトラップは、排水量を制御するために、ノズルの孔径を調整するには、ドリル加工や放電加工が必要であり、微細なノズルの形成には労力を必要とし、高価となる上、放電加工では孔内の形状の平坦性が悪くなるという問題がある。その上、ノズルの孔径が小さいため、スクリーンでは捕捉されない錆や塵等によるノズルの目詰まりの問題もある。更に、ドレンによってノズルが封鎖されていない機構のノズル式スチームトラップにおいては言うまでもなく、ドレンによってノズルが封鎖されている機構のノズル式スチームトラップにおいても、ドレンの貯水量が少ない場合は、蒸気の漏洩防止機能が不足する場合がある。
【００１９】
本発明は、ノズルの孔径加工及び孔径調整が容易で、ドレン内の錆や塵等よるノズル目詰まりを自動的に除去することが可能なノズルを有する上、蒸気漏洩防止機能を備えた、安価で小型のノズル式スチームトラップを提供することを目的としている。特に、本発明は、ベンチュリーノズル式スチームトラップに係る、孔径加工及び孔径調整、目詰まり、及び、蒸気漏洩の問題を解決したスチームトラップを提供するものである。
【課題を解決するための手段】
【００２０】
本発明者らは、ノズル式スチームトラップのノズルの孔にノズル孔径調整機構を挿通させることによって、上記課題を解決することができることを見出し、本発明の完成に至った。
【００２１】
すなわち、本発明は、ノズルを備えたスチームトラップにおいて、ノズルの孔に挿通されるノズル孔径調整機構を備えたことを特徴とするノズル式スチームトラップである。このノズル孔径調整機構は、ノズルに挿通することができる形態であれば、特に限定されるものではないが、ノズルの形態やノズル孔径調整機構の製造を考慮すると、線状構造体であることが好ましい。従って、線状構造体は、正しく円柱構造だけでなく、ノズルの孔を通過する直径の螺旋構造、ジグザグ構造、トポロジカル構造等の形から構成されるものを含むものである。
【００２２】
従来、ノズル式スチームトラップ（図１及び２）のノズルの孔径は、入口と出口の作動圧力差の変動、季節による外的要因及び蒸気使用設備の運転状況等に伴う蒸気使用量の変動等によるドレン排水量の変化に対応するために、直径約０．１〜４．４ｍｍ程度の範囲のものが使用されてきた。一般に、この孔は、それぞれ、ドリル加工又は放電加工で形成され、状況に適した孔径のノズルが交換、装着され使用されていた。特に、直径約０．４ｍｍ以下の微細な孔径の場合、ドリル加工が困難であり、放電加工により形成していたが、労力を必要とし、高価となる上、孔の内面が不整面となり、流体の流れが不規則となり、ドレン排水上及び蒸気漏洩上好ましくないという問題があった。
【００２３】
そこで、ノズルの孔径を所望の孔径に調整可能な機構がノズルに備えられると、ある孔径のノズルを製造しておけば、種々の孔径に相当するノズルを提供できる。特に、放電加工が必要な孔径のノズルが求められる場合、ドリル加工で形成することが可能な孔径のノズルを製造し、ノズル孔径調整機構を備えれば、放電加工が必要な孔径、例えば、直径約０．４ｍｍ以下に相当する孔径のノズルとなる。従って、上述したノズルの孔加工に係る諸問題を解決することができる。
【００２４】
そして、ノズル孔径調整機構の線状構造体は、ノズルの孔径に応じて、ノズルの孔に挿通することができるように、円柱構造、螺旋構造、ジグザグ構造、トポロジカル構造等、その形態を種々設計することが可能であるが、ノズルの形態やノズル孔径調整機構の製造を考慮すると、円柱構造の線状構造体とすることが合理的である。また、ノズル孔径調整機構は、直径約０．１〜４．４ｍｍ程度の範囲のノズルに応じて製造されるので、形態や直径等は、それぞれに適した設計が必要とされる。
【００２５】
一方、ノズル孔径調整機構は、固定化することもできるが、揺動可能となるように設置すれば、ドレンの排出に伴うノズル孔径調整機構が揺動することによって、スクリーンでは捕捉されない錆や塵等がノズルの孔を被覆することを妨げることができる目詰まり防止機能も発現することができる。
【００２６】
このように、本発明のノズル式スチームトラップに備えられるノズル孔径調整機構は、ノズルの孔に挿通される線状構造体であれば、特に限定されるものではないが、図１及び２に示したノズル式スチームトラップに適用するためには、ノズルの孔に線状構造体が保持されるノズル孔径調整機構でなければ、ノズル孔径調整機能も目詰まり防止機能も発現することはできない。そこで、本発明のノズル式スチームトラップに備えられるノズル孔径調整機構は、以下に示すような構成であることを特徴としている。
【００２７】
ノズル孔径調整機構が、線状構造体だけで構成されている場合、スチームトラップの大きさ及び形状に応じた長さを備えていれば、ノズルの孔に線状構造体を保持することが可能である。この場合、ノズル孔径調整機構を固定することも可能であり、揺動することも可能であるので、ノズル孔径調整機能も目詰まり防止機能も発現することができる。
【００２８】
しかし、ノズル孔径調整機構が、ノズルの孔に確実に保持されるためには、線状構造体をノズルの孔に保持するための係止構造体を、ノズル孔径調整機構を構成する線状構造体の少なくとも一端に添設することが好ましく、その両端に添設されるとより確実にノズル孔径調整機構の線状構造体をノズルの孔に保持することができる。但し、この係止構造体がノズル孔径調整機構を構成する線状構造体の一端だけに添設される場合は、ノズル式スチームトラップの構成によって、ノズル孔径調整機構を構成する線状構造体がノズルの孔に保持されるように、その位置が選択される。更に、係止構造体の構成によっては種々の機能が付与されたノズル孔径調整機構とすることも可能である。
【００２９】
本発明のノズル孔径調整機構に添設される係止構造体は、ノズルの孔にノズル孔径調整機構を構成する線状構造体を保持することができればよく、材質及び形状共に限定されるものではない。しかし、材質は、ドレンによって腐食されず、揺動によって壊れにくく、種々の形状に加工できるものが好ましく、ステンレス、プラスチック、セラミック等が用いられる。一方、形状は、次に示すような種々の係止構造体であることを特徴としている。
【００３０】
第一に、本発明の係止構造体は、ノズルの孔よりも細い線状物を加工したＬ字形、Ｔ字形、円形、多角形、星形、渦巻き型等の折り曲げ構造体であることを特徴としている。この折り曲げ構造体は、ノズル孔径調整機構を構成する線状構造体がノズルの孔を通過できない形態に加工されていれば良く、特に限定されるものではない。ノズル孔径調整機構を構成する線状構造体の少なくとも一端に添設されていればよいが、両端に添設することが、ノズルの孔にノズル孔径調整機構を構成する線状構造体を確実に保持するという観点から好ましい。また、ノズル孔径調整機構を構成する線状構造体の長さを調整することによって、固定することもでき、揺動可能とすることもできる。
【００３１】
第二に、本発明の係止構造体は、ノズルの孔を閉塞することなく、ノズル孔径調整機構を構成する線状構造体がノズルの孔を通過できないような、球状体、柱状体、錐状体、多面体等のノズルの孔よりも大きな塊状構造体であることを特徴としている。この塊状構造体も、上記折り曲げ構造体同様、ノズル孔径調整機構を構成する線状構造体の少なくとも一端に添設されていれば良いが、より確実にノズル孔径調整機構を構成する線状構造体をノズルの孔に保持するためには、両端に添設しても良く、一端に塊状構造体を、他端に折り曲げ構造体を添設しても良い。また、ノズル孔径調整機構を構成する線状構造体の長さを調整することによって、固定することもでき、揺動可能とすることもできる。しかし、塊状構造体の場合は、ノズルの孔を閉塞しない位置に、係止構造体としてノズル孔径調整機構を構成する線状構造体の端に添設する必要がある。
【００３２】
第三に、本発明の係止構造体は、弾性構造体であることを特徴としている。この弾性構造体の場合には、ドレンを排出できるように、ステンレス製又はプラスチック製の、コイル状圧縮ばね又は引張りばねであることが好ましい。この弾性構造体は、スチームトラップ本体の内壁又はそこに配設されたストッパーを利用し、圧縮したバネの膨張力又は伸長したバネの収縮力の作用により、ノズル孔径調整機構を構成する線状構造体がノズルの孔に保持されるように、ノズル孔径調整機構を構成する線状構造体の少なくとも一端に添設される。バネの復元力の強さに応じて、ノズル孔径調整機構を構成する線状構造体を固定することもでき、揺動することもできる。より確実にノズル孔径調整機構を構成する線状構造体をノズルの孔に保持するためには、両端に弾性構造体を添設しても良いが、一端に弾性構造体を、他端に折り曲げ構造体又は塊状構造体を添設しても良い。
【００３３】
第四に、本発明の係止構造体は、塊状錘構造体であることを特徴としている。この塊状錘構造体は、ノズルの孔を閉塞するように、ノズル孔径調整機構を構成する線状構造体のドレン出口側の一端にする添設され、ノズル孔径調整機能及び目詰まり防止機能に加え、蒸気漏洩防止機能が付与されたノズル孔径調整機構を提供することができる。図１に示すノズル式スチームトラップでは、この塊状錘構造体がノズルを封鎖することによって蒸気の漏洩を防止する。図２に示すノズル式スチームトラップでは、ドレンとこの塊状錘構造体によってノズルを封鎖することになるので、蒸気漏洩防止能力をより向上させることができる。従って、塊状錘構造体は、上記塊状構造体と同様の材質及び形状であればよいが、蒸気使用設備の運転環境及び運転状況等に伴うドレン排水量の調整及び蒸気使用量の変動等に応じた重さに設定する必要がある。この塊状錘構造体も、ノズル孔径調整機構を構成する線状構造体の少なくとも一端に添設されていれば良いが、より確実にノズル孔径調整機構を構成する線状構造体をノズルの孔に保持するためには、ノズルのフランジを嵌合する円柱形の揺動可能な塊状錘構造体とすることが好ましい。また、ノズル孔径調整機構を構成する線状構造体の他端に、上記折り曲げ構造体、上記塊状構造体、上記弾性構造体を添設しても良いが、ノズル孔径調整機構を構成する線状構造体の長さが調整され、これらの各構造体が、ノズル孔径調整機構を構成する線状構造体を揺動可能なように添設される必要がある。
【００３４】
第五に、本発明の係止構造体は、ノズル孔径調整機構を構成する線状構造体のドレン出口側の一端に、上記塊状錘構造体を添設し、更に、その塊状錘構造体に上記弾性構造体を添設してなる構造体であることを特徴としている。この塊状錘構造体及び弾性構造体は、形状、材質、機能等いずれも上述した構造体を用いることができ、ノズル孔径調整機構を構成する線状構造体の他端に、上記折り曲げ構造体、上記塊状構造体、上記弾性構造体を揺動できるように添設しても良い。このような塊状錘構造体と弾性構造体とを順に連接してなる係止構造体は、上記塊状錘構造体の蒸気漏洩防止機能を更に強化することができる。但し、この場合、弾性構造体として捩じりバネを用いることができる。この場合は、捩じりバネをスチームトラップ本体の内壁の適切な位置、すなわち、塊状錘構造体が捩じりバネで上下運動して、ノズル孔径調整機構を構成する線状構造体がノズルの孔を揺動する位置に備えることを特徴としている。
【発明の効果】
【００３５】
本発明により、ノズルの孔径の微細加工を必要とすることなく、ノズルの孔径を調整できるので、ノズルの加工が容易で、安価なノズル式スチームトラップを製造することができる。更に、ノズル孔径調整機構を構成する線状構造体が揺動することによって、ドレン内の錆や塵等よるノズル目詰まりを自動的に除去することが可能な上、蒸気漏洩防止機能を備えた小型のノズル式スチームトラップを提供することができる。特に、本発明は、ベンチュリーノズル式スチームトラップに係る、孔径加工及び孔径調整、目詰まり、及び、蒸気漏洩の問題を解決したスチームトラップを提供するものである。
【図面の簡単な説明】
【００３６】
【図１】従来の代表的なベンチュリーノズル式スチームトラップの断面模式図である。
【図２】ドレン排水量調整機構を備えたベンチュリーノズル式スチームトラップの断面模式図である。
【図３】本発明の一実施形態に係る、図２に示すベンチュリーノズル式スチームトラップにおいて、ベンチュリーノズルの孔に挿通されるノズル孔径調整機構が、線状構造体であることを特徴とするベンチュリーノズル式スチームトラップの断面模式図である。
【図４】本発明の一実施形態に係る、図２に示すベンチュリーノズル式スチームトラップにおいて、ベンチュリーノズルの孔に挿通されるノズル孔径調整機構が、係止構造体として線状物のＬ字形の折り曲げ構造体がドレン出口側の線状構造体の一端添設され、揺動可能であることを特徴とするベンチュリーノズル式スチームトラップの断面模式図である。
【図５】本発明の一実施形態に係る、図２に示すベンチュリーノズル式スチームトラップにおいて、ベンチュリーノズルの孔に挿通されるノズル孔径調整機構が、係止構造体として線状物のＬ字形の折り曲げ構造体が線状構造体の両端に添設され、揺動可能であることを特徴とするベンチュリーノズル式スチームトラップの断面模式図である。
【図６】本発明の一実施形態に係る、図２に示すベンチュリーノズル式スチームトラップにおいて、ベンチュリーノズルの孔に挿通されるノズル孔径調整機構が、係止構造体として四角柱の塊状構造体がノズルを閉塞することなく線状構造体の両端に添設され、揺動可能であることを特徴とするベンチュリーノズル式スチームトラップの断面模式図である。
【図７】本発明の一実施形態に係る、図２に示すベンチュリーノズル式スチームトラップにおいて、ベンチュリーノズルの孔に挿通されるノズル孔径調整機構が、係止構造体として線状物のＬ字形の折り曲げ構造体が線状構造体の両端に添設され、ノズルに固定されていることを特徴とするベンチュリーノズル式スチームトラップの断面模式図である。
【図８】本発明の一実施形態に係る、図２に示すベンチュリーノズル式スチームトラップにおいて、ベンチュリーノズルの孔に挿通されるノズル孔径調整機構が、係止構造体として線状物のＬ字形の折り曲げ構造体が線状構造体の両端に添設され、スチームトラップ自体の内壁に固定されていることを特徴とするベンチュリーノズル式スチームトラップの断面模式図である。
【図９】本発明の一実施形態に係る、図２に示すベンチュリーノズル式スチームトラップにおいて、ベンチュリーノズルの孔に挿通されるノズル孔径調整機構が、係止構造体として弾性構造体がドレン出口側の線状構造体の一端に添設され、弾性構造体とスチームトラップ自体の内壁とにより保持され揺動可能であることを特徴とするベンチュリーノズル式スチームトラップの断面模式図である。
【図１０】本発明の一実施形態に係る、図２に示すベンチュリーノズル式スチームトラップにおいて、ベンチュリーノズルの孔に挿通されるノズル孔径調整機構が、係止構造体として弾性構造体がドレン出口側の線状構造体の一端に、Ｌ字形の折り曲げ構造体がドレン入口側の線状構造体の他端に添設され、弾性構造体、折り曲げ構造体、及び、スチームトラップ自体の内壁により固定されていることを特徴とするベンチュリーノズル式スチームトラップの断面模式図である。
【図１１】本発明の一実施形態に係る、図２に示すベンチュリーノズル式スチームトラップにおいて、ベンチュリーノズルの孔に挿通されるノズル孔径調整機構が、係止構造体として弾性構造体が線状構造体の両端に添設され、弾性構造体とスチームトラップ自体の内壁とにより保持され揺動可能であることを特徴とするベンチュリーノズル式スチームトラップの断面模式図である。
【図１２】本発明の一実施形態に係る、図２に示すベンチュリーノズル式スチームトラップにおいて、ベンチュリーノズルの孔に挿通されるノズル孔径調整機構が、係止構造体として球形の塊状錘構造体がドレン出口側の線状構造体の一端に添設され、揺動可能であることを特徴とするベンチュリーノズル式スチームトラップの断面模式図である。
【図１３】本発明の一実施形態に係る、図２に示すベンチュリーノズル式スチームトラップにおいて、ベンチュリーノズルの孔に挿通されるノズル孔径調整機構が、係止構造体として円柱形の塊状錘構造体がドレン出口側の線状構造体の一端に添設され、揺動可能であることを特徴とするベンチュリーノズル式スチームトラップの断面模式図である。
【図１４】本発明の一実施形態に係る、図２に示すベンチュリーノズル式スチームトラップにおいて、ベンチュリーノズルの孔に挿通されるノズル孔径調整機構が、係止構造体として円柱形の塊状錘構造体がドレン出口側の線状構造体の一端に、Ｌ字形の折り曲げ構造体がドレン入口側の線状構造体の他端に添設され、揺動可能であることを特徴とするベンチュリーノズル式スチームトラップの断面模式図である。
【図１５】本発明の一実施形態に係る、図２に示すベンチュリーノズル式スチームトラップにおいて、ベンチュリーノズルの孔に挿通されるノズル孔径調整機構が、係止構造体としてドレン出口側のノズルのフランジを嵌合する円柱形の塊状錘構造体が線状構造体の一端に添設され、揺動可能であることを特徴とするベンチュリーノズル式スチームトラップの断面模式図である。
【図１６】本発明の一実施形態に係る、図２に示すベンチュリーノズル式スチームトラップにおいて、ベンチュリーノズルの孔に挿通されるノズル孔径調整機構が、係止構造体としてドレン出口側の線状構造体の一端に塊状錘構造体及び弾性構造体がその順に連設され、揺動可能であることを特徴とするベンチュリーノズル式スチームトラップの断面模式図である。
【図１７】本発明の一実施形態に係る、図２に示すベンチュリーノズル式スチームトラップにおいて、ベンチュリーノズルの孔に挿通されるノズル孔径調整機構が、係止構造体としてドレン出口側の線状構造体の一端に塊状錘構造体及び弾性構造体がその順に連設され、揺動可能であって、捩じりバネが、スチームトラップ本体の内壁の、塊状錘構造体が上下運動してノズル孔径調整機構を構成する線状構造体がノズルの孔で揺動することが可能な位置に備えられたことを特徴とするベンチュリーノズル式スチームトラップの断面模式図である。
【図１８】本発明の一実施形態に係る、図１に示すベンチュリーノズル式スチームトラップにおいて、ベンチュリーノズルの孔に挿通されるノズル孔径調整機構が、線状構造体であって、ノズル孔径調整機構を構成する線状構造体がノズルの孔に保持可能なストッパーをスチームストラップ本体の内壁に備えたことを特徴とするベンチュリーノズル式スチームトラップの断面模式図である。
【図１９】本発明の一実施形態に係る、図１に示すベンチュリーノズル式スチームトラップにおいて、ベンチュリーノズルの孔に挿通されるノズル孔径調整機構が、係止構造体として線状物のＬ字形の折り曲げ構造体が線状構造体の両端に添設され、揺動可能であることを特徴とするベンチュリーノズル式スチームトラップの断面模式図である。
【図２０】本発明の一実施形態に係る、図１に示すベンチュリーノズル式スチームトラップにおいて、ベンチュリーノズルの孔に挿通されるノズル孔径調整機構が、係止構造体として四角柱の塊状構造体が線状構造体の両端に添設され、固定していることを特徴とするベンチュリーノズル式スチームトラップの断面模式図である。
【図２１】本発明の一実施形態に係る、図１に示すベンチュリーノズル式スチームトラップにおいて、ベンチュリーノズルの孔に挿通されるノズル孔径調整機構が、係止構造体として弾性構造体がドレン出口側の線状構造体の一端に添設され、弾性構造体とスチームトラップ本体の内壁に備えられたストッパーとにより保持され、揺動可能であることを特徴とするベンチュリーノズル式スチームトラップの断面模式図である。
【図２２】本発明の一実施形態に係る、図１に示すベンチュリーノズル式スチームトラップにおいて、ベンチュリーノズルの孔に挿通されるノズル孔径調整機構が、係止構造体としてドレン出口側の線状構造体の一端に塊状錘構造体及び弾性構造体がその順に連設され、揺動可能であることを特徴とするベンチュリーノズル式スチームトラップの断面模式図である。
【図２３】本発明の一実施形態に係る、図１に示すベンチュリーノズル式スチームトラップにおいて、ベンチュリーノズルの孔に挿通されるノズル孔径調整機構が、係止構造体としてドレン出口側の線状構造体の一端に塊状錘構造体及び弾性構造体がその順に連設され、揺動可能であって、捩じりバネが、スチームトラップ本体の内壁の、塊状錘構造体が上下運動してノズル孔径調整機構を構成する線状構造体がノズルの孔で揺動することが可能な位置に備えられたことを特徴とするベンチュリーノズル式スチームトラップの断面模式図である
【発明を実施するための形態】
【００３７】
以下、本発明を、ベンチュリーノズル式スチームトラップについて、本発明の説明に不要な部品及び部材を省略した断面の模式図を用いて説明する。本発明は、図面に示す一実施形態を代表例として具体的な説明を行うが、本発明がこれらに限定される訳ではなく、本発明の主旨を逸脱しない範囲内で種々変更して実施することが可能であり、特許請求の範囲に記載した技術思想によってのみ限定されるものである。
【００３８】
請求項１又は２に包摂される、本発明の一実施形態を図３に示した。図２に示すタイプのベンチュリーノズル式スチームトラップにおいて、ベンチュリーノズル３の孔に挿通されるノズル孔径調整機構が、線状構造体Ａだけであることを特徴とするベンチュリーノズル式スチームトラップであって、スチームトラップの内部の大きさに応じて、線状構造体Ａがノズル３の孔に保持される必要最低限の長さを必要としている。このようなノズル孔径調整機構は、図から明らかなように、孔径を調整すると共に、揺動することによってノズルの目詰まりを防止する機能がある。以下、同様である。
【００３９】
請求項１〜４に包摂される、本発明の一実施形態を図４に示した。図２に示すタイプのベンチュリーノズル式スチームトラップにおいて、ベンチュリーノズル３の孔に挿通されるノズル孔径調整機構が、係止構造体として線状物のＬ字形の折り曲げ構造体Ｂ−１がドレン出口側の線状構造体の一端に添設され、揺動可能であることを特徴とするベンチュリーノズル式スチームトラップである。このＬ字形の折り曲げ構造体Ｂ−１によって、スチームトラップの内部の大きさにかかわらず、ノズル孔径調整機構を構成する線状構造体Ａをノズル３の孔に保持することができ、ノズル孔径調整機構を構成する線状構造体Ａの長さを短くできる。
【００４０】
請求項１〜４に包摂される、本発明の一実施形態を図５に示した。図２に示すタイプのベンチュリーノズル式スチームトラップにおいて、ベンチュリーノズル３の孔に挿通されるノズル孔径調整機構が、係止構造体として線状物のＬ字形の折り曲げ構造体Ｂ−１及びＢ−２が線状構造体Ａの両端に添設され、揺動可能であることを特徴とするベンチュリーノズル式スチームトラップである。Ｌ字形の折り曲げ構造体Ｂ−１及びＢ−２が、ノズル孔径調整機構を構成する線状構造体Ａの両端に添設されることによって、ノズル孔径調整機構を構成する線状構造体Ａがノズル３の孔に確実に保持される。
【００４１】
請求項１〜３及び５に包摂される、本発明の一実施形態を図６に示した。図２に示すタイプのベンチュリーノズル式スチームトラップにおいて、ベンチュリーノズル３の孔に挿通されるノズル孔径調整機構が、係止構造体として四角柱の塊状構造体Ｃ−１及びＣ−２がノズル３を閉塞することなく線状構造体Ａの両端に添設され、揺動可能であることを特徴とするベンチュリーノズル式スチームトラップである。折り曲げ構造体同様、ノズル孔径調整機構を構成する線状構造体Ａがノズル３の孔に確実に保持されるために、両端に設けているが、上端だけでも良い。また、一端は塊状構造体であり、他端が折り曲げ構造体であっても良い。
【００４２】
請求項１〜４に包摂される、本発明の一実施形態を図７に示した。図２に示すタイプのベンチュリーノズル式スチームトラップにおいて、ベンチュリーノズル３の孔に挿通されるノズル孔径調整機構が、係止構造体として線状物のＬ字形の折り曲げ構造体Ｂ−３及びＢ−４が線状構造体Ａの両端に添設され、ノズル３に固定されていることを特徴とするベンチュリーノズル式スチームトラップである。ノズル孔径調整機構を構成する線状構造体Ａの長さを調整することによって、ノズル孔径調整機構をノズル３に固定している例である。ここでは、係止構造体が両端共に折り曲げ構造体Ｂ−３及びＢ−４である例を示しているが、両端共に塊状構造体であっても、一端が折り曲げ構造体であり、他端が塊状構造体であっても良い。
【００４３】
請求項１〜４に包摂される、本発明の一実施形態を図８に示した。図２に示すタイプのベンチュリーノズル式スチームトラップにおいて、ベンチュリーノズル３の孔に挿通されるノズル孔径調整機構が、係止構造体として線状物のＬ字形の折り曲げ構造体Ｂ−５及びＢ−６が線状構造体Ａの両端に添設され、スチームトラップのボディ１の内壁に固定されていることを特徴とするベンチュリーノズル式スチームトラップである。ここでは、係止構造体が折り曲げ構造体Ｂ−５及びＢ−６である例を示しているが、折り曲げ構造体は必ずしも必要ではなく、塊状構造体又は弾性構造体であっても良い。弾性構造体を用いる場合、バネの復元力の強さに応じて、ノズル孔径調整機構を構成する線状構造体を固定することもでき、揺動することもできる。
【００４４】
請求項１〜３及び６に包摂される、本発明の一実施形態を図９に示した。図２に示すタイプのベンチュリーノズル式スチームトラップにおいて、ベンチュリーノズル３の孔に挿通されるノズル孔径調整機構が、係止構造体として弾性構造体Ｄ−１がドレン出口側の線状構造体Ａの一端に添設され、弾性構造体Ｄ−１とスチームトラップのボディ１の内壁とにより保持され、揺動可能であることを特徴とするベンチュリーノズル式スチームトラップである。この場合、弾性構造体は、コイル状圧縮バネの膨張力を利用しており、バネの復元力の強さに応じて、ノズル孔径調整機構を構成する線状構造体を固定することもできる。
【００４５】
請求項１〜４及び６に包摂される、本発明の一実施形態を図１０に示した。図２に示すタイプのベンチュリーノズル式スチームトラップにおいて、ベンチュリーノズル３の孔に挿通されるノズル孔径調整機構が、係止構造体として弾性構造体Ｄ−２がドレン出口側の線状構造体Ａの一端に、Ｌ字形の折り曲げ構造体Ｂ−７がドレン入口側の線状構造体Ａの他端に添設され、弾性構造体Ｄ−２、折り曲げ構造体Ｂ−７、及び、スチームトラップのボディ１の内壁により保持され、揺動可能であることを特徴とするベンチュリーノズル式スチームトラップである。この場合、弾性構造体は、コイル状収縮バネの収縮力を利用しており、バネの復元力の強さに応じて、ノズル孔径調整機構を構成する線状構造体を固定することもできる。ここでは、係止構造体が折り曲げ構造体Ｂ−７である例を示しているが、折り曲げ構造体ではなく、塊状構造体をノズルの孔を閉塞しないように添設してもよい。
【００４６】
請求項１〜３及び６に包摂される、本発明の一実施形態を図１１に示した。図２に示すタイプのベンチュリーノズル式スチームトラップにおいて、ベンチュリーノズル３の孔に挿通されるノズル孔径調整機構が、係止構造体として弾性構造体Ｄ−３が線状構造体Ａの両端に添設され、弾性構造体Ｄ−３とスチームトラップのボディ１の内壁とにより保持され、揺動可能であることを特徴とするベンチュリーノズル式スチームトラップである。この場合、弾性構造体は、コイル状収縮バネの収縮力を利用しており、バネの復元力の強さに応じて、ノズル孔径調整機構を構成する線状構造体を固定することもできる。
【００４７】
請求項１〜３及び７に包摂される、本発明の一実施形態を図１２に示した。図２に示すタイプのベンチュリーノズル式スチームトラップにおいて、ベンチュリーノズル３の孔に挿通されるノズル孔径調整機構が、係止構造体として球形の塊状錘構造体Ｅ−１がドレン出口側の線状構造体Ａの一端に添設され、揺動可能であることを特徴とするベンチュリーノズル式スチームトラップである。このような塊状錘構造体Ｅ−１は、ノズル３の孔を閉塞可能な形状であれば限定されるものではないが、貯水部９に溜まるドレンと共にノズル３を閉塞し、蒸気漏洩を防止する効果のある重さに調整する必要がある。塊状錘構造体を備えたノズル孔径調整機構は、孔径調整機能及び目詰まり防止機能に加え、蒸気漏洩防止機能を有する。以下、同様である。
【００４８】
請求項１〜３及び７に包摂される、本発明の一実施形態を図１３に示した。図２に示すタイプのベンチュリーノズル式スチームトラップにおいて、ベンチュリーノズル３の孔に挿通されるノズル孔径調整機構が、係止構造体として円柱形の塊状錘構造体Ｅ−２がドレン出口側の線状構造体Ａの一端に添設され、揺動可能であることを特徴とするベンチュリーノズル式スチームトラップである。図１２と比較し、貯水部９に溜まるドレンと共にノズル３を閉塞し、蒸気漏洩を防止する効果を高めた形状及び重さに調整した例である。
【００４９】
請求項１〜４及び７に包摂される、本発明の一実施形態を図１４に示した。図２に示すタイプのベンチュリーノズル式スチームトラップにおいて、ベンチュリーノズル３の孔に挿通されるノズル孔径調整機構が、係止構造体として円柱形の塊状錘構造体Ｅ−３がドレン出口側の線状構造体Ａの一端に、Ｌ字形の折り曲げ構造体Ｂ−８がドレン入口側の線状構造体Ａの他端に添設され、揺動可能であることを特徴とするベンチュリーノズル式スチームトラップである。この折り曲げ構造体Ｂ−８は、ノズル孔径調整機構を構成する線状構造体をノズル３の孔に確実に保持するために設けられており、ノズル３を閉塞することがなく揺動可能であるように、塊状構造体を用いても良い。又、ノズルの孔を閉塞しない塊状錘構造体又はコイル状引張バネの弾性構造体を添設し、ノズル孔径調整機構を構成する線状構造体を保持し、蒸気漏洩防止効果を高めても良いが、線状構造体が揺動可能な程度の重さ及び復元力でなければならない。
【００５０】
請求項１〜３及び７に包摂される、本発明の一実施形態を図１５に示した。図２に示すタイプのベンチュリーノズル式スチームトラップにおいて、ベンチュリーノズル３の孔に挿通されるノズル孔径調整機構が、係止構造体としてドレン出口側のノズルのフランジを嵌合する円柱形の塊状錘構造体Ｅ−４が線状構造体Ａの一端に添設され、揺動可能であることを特徴とするベンチュリーノズル式スチームトラップである。ノズル孔径調整機構が脱落しないように、線状構造体Ａの他端に折り曲げ構造体又はノズル３の孔を閉塞しない塊状構造体を添設しても良い。又、ノズル３の孔を閉塞しない塊状錘構造体又はコイル状引張バネの弾性構造体を添設し、ノズル孔径調整機構を構成する線状構造体を保持し、蒸気漏洩防止効果を高めても良いが、線状構造体が揺動可能な程度の重さ及び復元力でなければならない。
【００５１】
請求項１〜３及び８に包摂される、本発明の一実施形態を図１６に示した。図２に示すタイプのベンチュリーノズル式スチームトラップにおいて、ベンチュリーノズル３の孔に挿通されるノズル孔径調整機構が、係止構造体としてドレン出口側の線状構造体Ａの一端に塊状錘構造体Ｅ−５及び弾性構造体Ｄ−５がその順に連設され、弾性構造体Ｄ−５とスチームトラップのボディ１の内壁とにより保持され、揺動可能であることを特徴とするベンチュリーノズル式スチームトラップである。貯水部９に溜まるドレンと共に、コイル状圧縮バネの膨張力と錘の作用により、蒸気漏洩を防止するものであるが、この作用は、蒸気使用設備の運転環境及び状況により調整する必要がある。
【００５２】
請求項１〜３及び８に包摂される、本発明の一実施形態を図１７に示した。図２に示すタイプのベンチュリーノズル式スチームトラップにおいて、ベンチュリーノズル３の孔に挿通されるノズル孔径調整機構が、係止構造体としてドレン出口側の線状構造体Ａの一端に塊状錘構造体Ｅ−６及び弾性構造体Ｄ−６がその順に連設され、揺動可能であって、捩じりバネＤ−６が、スチームトラップのボディ１の内壁の、塊状錘構造体Ｄ−６が上下運動して線状構造体Ａがノズル３の孔で揺動することが可能な位置に備えられたことを特徴とするベンチュリーノズル式スチームトラップである。
【００５３】
請求項１及び２に包摂される、本発明の一実施形態を図１８に示した。図１に示すタイプのベンチュリーノズル式スチームトラップにおいて、ベンチュリーノズル３の孔に挿通されるノズル孔径調整機構が、線状構造体Ａであって、線状構造体Ａがノズルの孔に保持可能なストッパー１３−１及び１３−２を備えたことを特徴とするベンチュリーノズル式スチームトラップである。ここでは、ストッパーを二箇所に設けているが、いずれか一方とすることができ、この場合は、ノズル孔径調整機構を構成する線状構造体の、ストッパーと反対側の一端に、折り曲げ構造体又はノズルを閉塞しない塊状構造体を添接すれば良い。
【００５４】
請求項１〜４に包摂される、本発明の一実施形態を図１９に示した。図１に示すタイプのベンチュリーノズル式スチームトラップにおいて、ベンチュリーノズル３の孔に挿通されるノズル孔径調整機構が、係止構造体として線状物のＬ字形の折り曲げ構造体Ｂ−１及びＢ−４が線状構造体Ａの両端に添設され、揺動可能であることを特徴とするベンチュリーノズル式スチームトラップである。線状構造体Ａの長さを調整することによって、ノズル孔径調整機構をノズル３に固定することもできる。又、折り曲げ構造体ではなく、ノズル３を閉塞しないように塊状構造体を添設しても良い。
【００５５】
請求項１〜３及び５に包摂される、本発明の一実施形態を図２０に示した。図１に示すタイプのベンチュリーノズル式スチームトラップにおいて、ベンチュリーノズル３の孔に挿通されるノズル孔径調整機構が、係止構造体として四角柱の塊状構造体Ｃ−３及びＣ−４が線状構造体Ａの両端に添設され、固定されていることを特徴とするベンチュリーノズル式スチームトラップの断面模式図である。
【００５６】
請求項１〜３及び６に包摂される、本発明の一実施形態を図２１に示した。図１に示すタイプのベンチュリーノズル式スチームトラップにおいて、ベンチュリーノズル３の孔に挿通されるノズル孔径調整機構が、係止構造体として弾性構造体Ｄ−１がドレン出口側の線状構造体Ａの一端に添設され、弾性構造体Ｄ−１とスチームトラップのボディ１の内壁に備えられたストッパー１３−３とにより保持され、揺動可能であることを特徴とするベンチュリーノズル式スチームトラップである。コイル状圧縮バネの膨張力を高めて、ノズル孔径調整機構を構成する線状構造体をノズル３の孔に固定することもできる。
【００５７】
請求項１〜３及び８に包摂される、本発明の一実施形態を図２２に示した。図１に示すタイプのベンチュリーノズル式スチームトラップにおいて、ベンチュリーノズル３の孔に挿通されるノズル孔径調整機構が、係止構造体としてドレン出口側の線状構造体Ａの一端に塊状錘構造体Ｅ−５及び弾性構造体Ｄ−５がその順に連設され、弾性構造体Ｄ−５とスチームトラップのボディ１の内壁に備えられたストッパー１３−４とにより保持され、揺動可能であることを特徴とするベンチュリーノズル式スチームトラップである。コイル状圧縮バネの膨張力と錘の作用により、蒸気漏洩を防止するものであるが、この作用は、蒸気使用設備の運転環境及び状況により調整する必要がある。
【００５８】
請求項１〜３及び８に包摂される、本発明の一実施形態を図２３に示した。図１に示すタイプのベンチュリーノズル式スチームトラップにおいて、ベンチュリーノズル３の孔に挿通されるノズル孔径調整機構が、係止構造体としてドレン出口側の線状構造体Ａの一端に塊状錘構造体Ｅ−６及び弾性構造体Ｄ−６がその順に連設され、揺動可能であって、捩じりバネＤ−６が、スチームトラップのボディ１の内壁の、塊状錘構造体Ｅ−６が上下運動して線状構造体Ａがノズルの孔で揺動することが可能な位置に備えられたことを特徴とするベンチュリーノズル式スチームトラップである。捩じりバネＤ−６の復元力により、蒸気漏洩を防止するものであるが、この作用は、蒸気使用設備の運転環境及び状況により調整する必要がある。
【００５９】
以上の実施形態におけるノズル孔径調整機構は、ドレンに対する腐食性、種々の形状のノズル孔径調整機構を製造するための加工性、及び、錘の役割を果たすための重さ等を考慮して、ステンレスで製造することが好ましいが、プラスチック、セラミックで製造しても良い。
【産業上の利用可能性】
【００６０】
本発明は、ノズル孔径調整機構を備えたノズル式スチームトラップであるが、ノズルとは、気体や液体のような流体の流れる方向を定めるために使用されるパイプ状の機械部品で、流れる物質の流量、流速、方向、圧力等の流体の持つ特性をコントロールするために幅広く使用されている。また、一般的には、円形の断面積を縮小して流体を高速で噴出させる構造をしており、具体的には、消火用ホースの吐水口、ペルトン水車の噴出口、蒸気タービンの蒸気噴出口、圧縮点火機関の燃料噴射口等に使用されている。従って、本発明のノズル式スチームトラップに備えられたノズル孔径調整機構は、このようなノズルが用いられている機器に幅広く利用することができる。
【符号の説明】
【００６１】
１  ボディ
２  パッキン
３  ベンチュリーノズル 
３−１  ベンチュリーノズルのドレン入口
３−２  ベンチュリーノズルのドレン出口
４  エンドキャップ 
５  ストレーナー 
６  支持体付スクリーン 
７  ストレーナーエンドキャップ 
８  ボールバルブ
９  ドレンの貯水部
１０  ドレン流入口
１１  ドレン系外排出口
１２  ユニオン
１３  ストッパー
１３−１  第１のストッパー
１３−２  第２のストッパー
１３−３  第３のストッパー
１３−４  第４のストッパー
Ａ  線状構造体
Ｂ−１  第１の折り曲げ構造体
Ｂ−２  第２の折り曲げ構造体
Ｂ−３  第３の折り曲げ構造体
Ｂ−４  第４の折り曲げ構造体
Ｂ−５  第５の折り曲げ構造体
Ｂ−６  第６の折り曲げ構造体
Ｂ−７  第７の折り曲げ構造体
Ｂ−８  第８の折り曲げ構造体
Ｃ−１  第１の塊状構造体
Ｃ−２  第２の塊状構造体
Ｃ−３  第３の塊状構造体
Ｃ−４  第４の塊状構造体
Ｄ−１  第１の弾性構造体
Ｄ−２  第２の弾性構造体
Ｄ−３  第３の弾性構造体
Ｄ−４  第４の弾性構造体
Ｄ−５  第５の弾性構造体
Ｄ−６  第６の弾性構造体
Ｅ−１  第１の塊状錘構造体
Ｅ−２  第２の塊状錘構造体
Ｅ−３  第３の塊状錘構造体
Ｅ−４  第４の塊状錘構造体
Ｅ−５  第５の塊状錘構造体
Ｅ−６  第６の塊状錘構造体
【図１】
2018080731.tif 000003
【図２】
2018080731.tif 000004
【図３】
2018080731.tif 000005
【図４】
2018080731.tif 000006
【図５】
2018080731.tif 000007
【図６】
2018080731.tif 000008
【図７】
2018080731.tif 000009
【図８】
2018080731.tif 000010
【図９】
2018080731.tif 000011
【図１０】
2018080731.tif 000012
【図１１】
2018080731.tif 000013
【図１２】
2018080731.tif 000014
【図１３】
2018080731.tif 000015
【図１４】
2018080731.tif 000016
【図１５】
2018080731.tif 000017
【図１６】
2018080731.tif 000018
【図１７】
2018080731.tif 000019
【図１８】
2018080731.tif 000020
【図１９】
2018080731.tif 000021
【図２０】
2018080731.tif 000022
【図２１】
2018080731.tif 000023
【図２２】
2018080731.tif 000024
【図２３】
2018080731.tif 000025